【手続補正書】
【提出日】平成16年12月22日(2004.12.22)
【手続補正１】
【補正対象書類名】明細書
【補正対象項目名】全文
【補正方法】変更
【補正の内容】
【書類名】明細書
【発明の名称】体液吸収性物品
【特許請求の範囲】
【請求項１】体液を吸収してこれを保持する吸収部材を備えた体液吸収性物品であって、
前記吸収部材は、少なくとも一部が体液透過性とされ且つ複数の隔室を有するように区画された密閉袋体と、この袋体の隔室内に移動自由に封入された高吸収性ポリマーとからなり、前記高吸収性ポリマーが体液を吸収して膨潤したときに前記区画が解除されるように構成されたものである、
ことを特徴とする体液吸収性物品。
【請求項２】身体の肌に面する側に設けられた液透過性の表面層、身体の肌から遠ざかる側に設けられた防漏層、および両者の間に設けられた体液吸収性部を有し、この体液吸収性部内に吸収部材が設置された吸収性物品であって、
前記吸収部材は、少なくとも一部が体液透過性とされ且つ複数の隔室を有するように区画された密閉袋体と、この袋体の隔室内に移動自由に封入された高吸収性ポリマーとからなり、前記区画が体液との接触により解除されるように構成されたものである、
ことを特徴とする体液吸収性物品。
【請求項３】前記吸収部材は帯状をなし、且つ物品の長手方向または幅方向に沿って複数列設置されている、請求項１または２記載の体液吸収性物品。
【請求項４】前記吸収部材は幅５ｃｍ以下の帯状をなし、かつ前記区画間隔が１〜５ｃｍとされている、請求項３記載の体液吸収性物品。
【請求項５】前記袋体は、坪量が１５〜３０ｇ／ｍ2の繊維集合体からなる体液透過性シートにより形成されている、請求項１〜４のいずれか１項に記載の体液吸収性物品。
【請求項６】前記袋体の体液受入側面は体液透過性シートにより形成され、その反対側面は非体液透過性シートまたは難体液透過性シートにより形成されている、請求項１〜５のいずれか１項に記載の体液吸収性物品。
【請求項７】前記袋体の区画は、前記袋体の内面相互を体液解離性接着剤を用いて接着することによりなされている、請求項１〜６のいずれか１項に記載の体液吸収性物品。
【請求項８】前記区画が解除された状態での一つの隔室に相当する部分の容積をＶとし、その内部に封入される高吸収性ポリマーの重量をＰとし、高吸収性ポリマーの生理食塩水飽和吸収時の密度をｋ＝１とし、高吸収性ポリマーの生理食塩水飽和吸収時の膨潤倍率をＢとしたとき、一つの隔室が下記式（１）で定まる重量Ｗの８０〜１１０％の重さの高吸収性ポリマーを含むように構成されている、請求項１〜７のいずれか１項に記載の体液吸収性物品。
Ｗ＝ｋ×Ｖ／Ｂ      ・・・（１）
【発明の詳細な説明】
【０００１】
【発明の属する技術分野】
本発明は、体液を吸収処理する、使い捨ての紙おむつ、生理用ナプキンなどの体液吸収性物品に関する。
【０００２】
【従来の技術】
この種の体液吸収性物品は、基本的に、身体の肌に面する側に設けられた液透過性の表面層、身体の肌から遠ざかる側に設けられた防漏層、および両者の間に設けられた体液吸収性部を有する。
【０００３】
この場合における、体液吸収性部の構成は、種々のものが知られているが、吸収性素材として、高吸収性ポリマー、綿状パルプ（フラッフパルプ）、クレープ紙などの吸収紙を主体とし、綿状パルプ内に高吸収性ポリマーを分散させる、あるいはこれらを層構造にしたものが一般に用いられている。近年の高吸収性ポリマー技術の進展に伴い、より薄型化した体液吸収性部の形成が可能となり、したがって製品の吸収部分の身体へのフィット性が向上し、モレが少なくなってきている。
【０００４】
この製品の吸収特性の改善は、需要者にとって、薄型でありながら、吸収容量が大きく、さらに長時間の着用にも耐えるさらに新たな製品開発の要求となってあらわれている。
【０００５】
しかるに、この要求を満たすためには、例えば、尿の場合であっては多数回の排尿量のすべてを体液吸収性部が吸収しなければならない。しかし、排尿が繰り返えされるごとに体液吸収性部の吸収速度は遅くなり、特に体液吸収性部の長手方向端部まで体液が吸収されないことが多い。この原因としては、体液の縦方向（製品の長手方向）への拡散が十分でないこと、高吸収性ポリマーの膨潤による拡張濡れが阻害されるいわゆるゲルブロッキング現象が起こるためとされている。
【０００６】
これらの現象を解決する手法として、特表２０００−５１００３１号、及び特表２０００−５１００３３号などの縦方向への濡れ拡がりを助ける技術、特表２０００−５１００３１号、特表２０００−５１００３３号などの高吸収性ポリマーのゲルブロッキングを防ぐ技術、高吸収性ポリマーの形状や組み込みの工夫、濡れによって膨潤する空間を確保する方法などが提案されている。
【０００７】
【発明が解決しようとする課題】
しかしいずれの方法を用いても、体液の長手方向拡散が不十分であり、十分な解決策となっていない。
【０００８】
そこで、本発明の主たる課題は、高吸収性ポリマーの膨潤による拡張濡れが阻害されるいわゆるゲルブロッキング現象を抑制し、高吸収性ポリマーの機能が十全に発揮される体液吸収性物品を提供することにある。
【０００９】
【課題を解決するための手段】
本発明者らが鋭意研究したところ、高吸収性ポリマーの膨張や移動がこれを包含する綿状パルプによって抑制され、高吸収性ポリマー相互が密着状態になることが、ゲルブロッキングの一因となっていることが判明した。
【００１０】
本発明はかかる観点からゲルブロッキングの対策を講じたものであり、次記のとおりのものである。
＜請求項１記載の発明＞
体液を吸収してこれを保持する吸収部材を備えた体液吸収性物品であって、
前記吸収部材は、少なくとも一部が体液透過性とされ且つ複数の隔室を有するように区画された密閉袋体と、この袋体の隔室内に移動自由に封入された高吸収性ポリマーとからなり、前記高吸収性ポリマーが体液を吸収して膨潤したときに前記区画が解除されるように構成されたものである、
ことを特徴とする体液吸収性物品。
【００１１】
（作用効果）
本発明の吸収部材では、体液は体液透過性の部分を介して袋体内に滲入し、対応する隔室内の高吸収性ポリマーにより吸収される。体液を吸収した高吸収性ポリマーは膨張する。この際、当該膨張するポリマーの周囲にある区画部分も解除される。この解除はポリマーの膨張力のみによって、またはこれが主因となって若しくは補助的に作用して達成される場合も含まれる。よって、当該膨張するポリマーは隔室の制約を超えて自由に膨張することができ、ポリマー相互の密着によるゲルブロッキングが効果的に防止される。
【００１２】
また、本発明の吸収部材では、体液と未だ接触していない区画部分は解離しないので、高吸収性ポリマーはこれを超えて移動できず、自身が封入されている隔室内に拘束される。よって、例えば体液を全く吸収していない状態において、高吸収性ポリマーを袋体内の全体に偏り無く均一に分布させることができる。そしてこの高吸収性ポリマーの偏在防止作用によって、ポリマー相互の密着が低減されるため、前述の区画解除によるゲルブロッキング防止効果が更に向上する。
【００１３】
さらに本発明の吸収部材では、高吸収性ポリマーは袋体内に移動自由に封入されており、吸収部材が傾斜すればその傾斜の下側に集合する。よって、例えば本発明の吸収性物品がおむつである場合に、これを装着した者が体を横に傾けた状態で排尿をしたとしても、その尿が傾斜に沿って下る先の位置には高吸収性ポリマーが集合するため、集中的かつ効率的な吸収が可能である。よって、本発明の体液吸収性物品では前後漏れや横漏れが生じ難いという利点ももたらされる。
【００１４】
＜請求項２記載の発明＞
身体の肌に面する側に設けられた液透過性の表面層、身体の肌から遠ざかる側に設けられた防漏層、および両者の間に設けられた体液吸収性部を有し、この体液吸収性部内に吸収部材が設置された吸収性物品であって、
前記吸収部材は、少なくとも一部が体液透過性とされ且つ複数の隔室を有するように区画された密閉袋体と、この袋体の隔室内に移動自由に封入された高吸収性ポリマーとからなり、前記区画が体液との接触により解除されるように構成されたものである、
ことを特徴とする体液吸収性物品。
【００１５】
（作用効果）
請求項１記載の発明と同様の作用効果が奏せられる。ただし本請求項２記載の発明においては、区画が体液との接触により解除されるように構成されているため、ポリマーの膨張力が主因となってまたは補助的に作用して区画解除がなされることはあっても、膨張力のみによる区画解除はなされない。さらに本請求項２記載の発明では、吸収部材が表面層及び防漏層間の体液吸収性部内に設けられているため、凹凸感のある吸収部材が肌と直接に接触せず、肌触りが良好となる利点がもたらされる。
【００１６】
＜請求項３記載の発明＞
前記吸収部材は帯状をなし、且つ物品の長手方向または幅方向に沿って複数列設置されている、請求項１または２記載の体液吸収性物品。
【００１７】
（作用効果）
帯状の吸収部材を物品の長手方向に沿って複数列設置したときには、物品の長手方向の体液の拡散が促進される一方で物品幅方向の拡散が抑制される。反対に、吸収部材を物品の幅方向に沿って複数列設置したときには、物品の長手方向の体液の拡散が抑制される一方で物品幅方向の拡散が促進される。
【００１８】
＜請求項４記載の発明＞
前記吸収部材は幅５ｃｍ以下の帯状をなし、かつ前記区画間隔が１〜５ｃｍとされている、請求項３記載の体液吸収性物品。
【００１９】
（作用効果）
かかる構成を具備していると、前述のゲルブロッキング防止作用を図る上で特に好ましい。
【００２０】
＜請求項５記載の発明＞
前記袋体は、坪量が１５〜３０ｇ／ｍ2の繊維集合体からなる体液透過性シートにより形成されている、請求項１〜４のいずれか１項に記載の体液吸収性物品。
【００２１】
（作用効果）
膨潤する高吸収性ポリマーの袋体外へのハミ出しを防ぎ、かつコストを可能な限り低く抑えるためには、袋体を坪量が１５〜３０ｇ／ｍ2の体液透過性シートにより形成するのが望ましい。
【００２２】
＜請求項６記載の発明＞
前記袋体の体液受入側面は体液透過性シートにより形成され、その反対側面は非体液透過性シートまたは難体液透過性シートにより形成されている、請求項１〜５のいずれか１項に記載の体液吸収性物品。
【００２３】
（作用効果）
かかる構成とすることにより、体液が吸収部材を通過せずに袋体内において拡散移動し易くなり、より多量のポリマーと接触することにより効率的な吸収が可能となる。
【００２４】
＜請求項７記載の発明＞
前記袋体の区画は、前記袋体の内面相互を体液解離性接着剤を用いて接着することによりなされている、請求項項１〜６のいずれか１項に記載の体液吸収性物品。
【００２５】
（作用効果）
前述の区画解除による作用効果を発揮させるために、本発明ではかかる接着剤を好適に用いることができる。
【００２６】
＜請求項８記載の発明＞
前記区画が解除された状態での一つの隔室に相当する部分の容積をＶとし、その内部に封入される高吸収性ポリマーの重量をＰとし、高吸収性ポリマーの生理食塩水飽和吸収時の密度をｋ＝１とし、高吸収性ポリマーの生理食塩水飽和吸収時の膨潤倍率をＢとしたとき、一つの隔室が下記式（１）で定まる重量Ｗの８０〜１１０％の重さの高吸収性ポリマーを含むように構成されている、請求項１〜７のいずれか１項に記載の体液吸収性物品。
Ｗ＝ｋ×Ｖ／Ｂ      ・・・（１）
【００２７】
（作用効果）
本請求項８記載の発明は、一つの隔室に封入する高吸収性ポリマーの好適な使用量を定めたものである。本発明は、区画が解除されることを前提とするが、あまりに多量の高吸収性ポリマーを使用すると、その膨潤により区画は解除するものの、さらなる膨潤によりポリマーが袋体内に密充填された状態となり、ゲルブロッキングを生じたり、あるいは袋体が破裂したりするおそれがある。一方、高吸収性ポリマーの使用量が少なすぎると、区画が解離しにくくなったり、吸収能力が低下したりする。
【００２８】
しかるに高吸収性ポリマーの使用量を、使用するポリマーの膨潤倍率・隔室を考慮した袋体の容積・高吸収性ポリマーの飽和吸収時の密度を考慮した上記式（１）に基づいて、上記範囲に設定すると、十分な吸収能力および確実な区画の解除を可能としながらも、袋体の破裂やゲルブロッキングが起こり難くなる。
【００２９】
なお、飽和吸収時密度ｋ＝１は、ゲルブロッキングを防止しつつも膨張力を確実に袋体に作用させることができる上限値である。換言すれば、上記式（１）における容積Ｖおよびポリマーの使用量は設計により、また膨潤倍率Ｂは設計により定める高吸収性ポリマーの種類によりそれぞれ任意に定めるものであるのに対し、飽和吸収時密度ｋはこれら他のパラメータに応じて一義的に定まるものであ。
【００３０】
【発明の実施の形態】
以下本発明の実施の形態を図面を参照しながらさらに詳説する。
前述のように、本発明は使い捨ての紙おむつ、生理用ナプキンなどの体液吸収性物品一般に適用されるが、おむつ使用時（装着時）に背側の左右両側部を腹側の左右両側部に持ち込み、これらをテープファスナー（粘着剤テープファスナー及び面ファスナーを含む）により接合するタイプのいわゆるテープ式紙おむつに対する適用例を説明すれば、パンツ型使い捨ておむつやパッド型使い捨て吸収性物品での実施の形態や、生理用ナプキンでの実施の形態も直ちに推測できると思われるので、後二者の例についてはその説明を省略する。
【００３１】
（吸収性物品の基本的形態例）
本実施形態例に係る使い捨ておむつは、図１及び図２に示すように、身体の肌に面する側に設けられた液透過性の不織布、あるいは孔開きフィルムなどからなり、着用者の肌に直接触れる長方形の表面シート２、身体の肌から遠ざかる側に設けられたポリエチレンプラスチックフィルムなどからなる長方形の不透液性バックシートなどからなる防漏層３、および両者の間に設けられた体液吸収体２０のみからなる体液吸収性部１を有する。
【００３２】
さらに、防漏層３より裏面側たる製品の裏面側には、可撓性の外形シート４を有し、この外形シート４は１枚の不織布または複数枚の通気・撥水性の不織布を積層固定したものからなる。
【００３３】
製品の両側部には、使用面側に突出する脚周り起立カフスＣ，Ｃがそれぞれ形成され、この起立カフスＣは、実質的に幅方向に連続した起立シート８と、たとえば糸ゴムからなる一本のまたは複数本の伸縮部材９とにより構成されている。さらに詳細には、起立カフスＣは、起立シート８を二重にして形成され、伸縮部材９を包んでホットメルト接着剤などにより固着した状態で形成されたものである。各起立カフスＣ，Ｃを形成する起立シート８は、透液性でなく不透液性もしくは疎水性であるのが望ましい。さらに、通気もしくは蒸気透過性を有しているのが望ましい。起立シート８の間に不透液性フィルムシートを挟み込み、さらに防漏性を高めることができる。
【００３４】
二重の起立シート８の内面は、表面シート２及び外形シート４にホットメルト接着剤などにより固着されている。その結果、二重の起立シート８のこの固着始端は、起立カフスＣの起立端を形成している。この起立端より先端側は、製品本体に固定されていない自由部分である。
【００３５】
他方、二重の起立シート８の長手方向前後端部は、ホットメルト接着剤などにより、自由部分がその先端を物品の中央側に向かう状態で物品に、具体的には表面シート２外面に固定されている。左右の起立カフスＣ，Ｃで囲まれる空間は、尿または軟便の閉じ込め空間を形成する。この空間内に排尿されると、その尿は透液性表面シート２を通って体液吸収性部１内に吸収されるとともに、軟便の固形分については、起立カフスＣがバリヤーとなり、その乗り越えが防止される。
【００３６】
他方、前身頃及び後身頃の長手方向端部において、ウエスト部における外形シート４の不織布間に、ウエスト周りのフィット性を高めるために、ウエスト開口部の端縁に平行に間隔を置いて細い糸ゴムからなるウエスト伸縮部材１０，１０…を配置し、これらが伸縮するように伸長下にホットメルト接着剤などにより固定されている。ウエスト伸縮部材１０，１０…の間隔および本数は適宜定めることができるが、例えば間隔としては４〜８ｍｍ程度、本数としては３〜１０本程度が好ましい。１１は背側の左右両側部を腹側の左右両側部に持ち込み、接合するためのテープファスナーである。
【００３７】
（体液吸収性部について）
さて、本発明の体液吸収性部とは、身体の肌に面する側に設けられた液透過性の表面層と、身体の肌から遠ざかる側に設けられた防漏層との間にあって、表面層を通った体液を受け入れて吸収する部分である。したがって、この体液吸収性部の構成は、以下に説明する本発明の吸収部材を備える条件の下で、種々の形態及び形状を備えることができる。
【００３８】
＜体液吸収性部の第１の実施の形態＞
図３及び図４に示すように、第１の実施の形態に係る体液吸収性部１は体液吸収体２０のみからなり、この体液吸収体２０は、体液が透過可能な使用面側シート２１及び透液性または不透液性の裏面側シート２２を有し、使用面側シート２１と裏面側シート２２とが製品の幅方向に間隔を置いた位置に長手方向に沿う固定部２３を有し、隣接する固定部２３，２３の間が長手方向に沿うチャンネル空間２４とされ、各チャンネル空間２４，２４…内に本発明の吸収部材２５が設けられているものである。
【００３９】
吸収部材２５は、図５にも示すように、複数の隔室ｒ，ｒ…を有するように区画された密閉袋体２６Ｂと、この袋体の隔室ｒ，ｒ…内に移動自由に封入された高吸収性ポリマー２６Ａとからなり、区画ｄ，ｄ…が体液との接触により解除されるように構成されたものである。
【００４０】
好ましい形態では、吸収部材２５は帯状をなし、物品の長手方向に沿って複数列設置される。このため、吸収部材２５の幅（すなわち袋体２６Ｂの幅）は、平坦な状態で５ｃｍ以下、特に１〜２ｃｍ程度が好ましい。また、袋体２６Ｂ内において高吸収性ポリマー２６Ａが偏在するのを防止する観点から、区画ｄ，ｄ…の間隔は１〜５ｃｍとされているのが望ましい。
【００４１】
特に製造が容易な形態としては、図示するように、一対の帯状シートｓｔ１，ｓｔ２を重ねて、周縁部ｅのシート相互を、体液により解離しない、ホットメルト接着剤による接着、超音波溶着またはヒートシールにより接合するとともに、区画部位ｄ，ｄ…を後述する接合方法によって、袋体２６Ｂの長手方向に所定の間隔をおいて形成する手法を提案する。図示しないが、一枚のシートの幅方向中央を折り、対応する端部相互を接合することにより袋体を形成することもできる。また後述するように、区画相互が平面的に交差する形態、例えば碁盤目状に形成することもできる。
【００４２】
本発明の吸収部材２５では、密閉袋体２６Ｂの少なくとも一部は体液透過性とされる。従来の吸収性物品と同様の吸収機能（吸収速度と拡散性とのバランス等）を発揮させるためには、吸収部材２５における少なくとも身体側（体液の排泄部位と面する側。以下同じ。）を体液透過性とする。この場合、袋体２６Ｂの全体を体液透過性シートにより形成するか、或いは袋体２６Ｂの体液受入側面（例えば図示例のシートｓｔ１の一部または全部）は体液透過性シートにより形成し、その反対側面（例えば図示例のシートｓｔ２の一部または全部）は非体液透過性シートまたは難体液透過性シートにより形成することができる。一方、吸収速度よりも拡散性を重視する場合には、吸収部材２５の身体側を非−若しくは難−体液透過性とし、側部や裏面側（身体側と反対側）を体液透過性とすることもできる。
【００４３】
また、本発明の吸収部材２５では、高吸収性ポリマー２６Ａが膨張したときに袋体２６Ｂの区画ｄ，ｄ…が解除されるように構成される。この場合、区画ｄ，ｄ…を体液との接触により解除される構成とするか、あるいは体液と接触しただけでは解除されないがポリマーの膨張力によって解除される構成とすることができる。前者の区画ｄは、袋体２６Ｂの内面相互を体液解離性接着剤を用いて接着することにより形成できる。体液解離性接着剤としては、ポリビニルアルコール、ポリアルキレンオキサイドなどを主成分とする水分散型ホットメルト接着剤や、でんぷんのり、カルボキシメチルセルロースなどの水溶性接着剤を用いることができる。なお、本発明の用語「体液解離性接着剤」における「接着」とは一般的な意味での接着固定と粘着固定の両方を含むものである。後者の区画ｄ，ｄ…は、ポリマーの膨張力によって剥離する程度の接着力で、袋体２６Ｂの内面相互を接着（粘着含む）することにより形成できる。
【００４４】
さらに、袋体２６Ｂ内に対する高吸収性ポリマー２６Ａの配置量としては、望まれる吸収能力に応じて適宜設定できるが、あまり多量に封入すると前述のとおりゲルブロッキングが発生したり袋体２６Ｂが破裂したりする。したがって、区画ｒが解除された状態での一つの隔室ｒに相当する部分の容積をＶとし、その内部に封入される高吸収性ポリマー２６Ａの重量をＰとし、高吸収性ポリマー２６Ａの生理食塩水飽和吸収時の密度をｋ＝１とし、高吸収性ポリマー２６Ａの生理食塩水飽和吸収時の膨潤倍率をＢとしたとき、一つの隔室ｒが下記式（１）で定まる重量Ｗの８０〜１１０％の重さの高吸収性ポリマーを含むようにするのが望ましい。
Ｗ＝ｋ×Ｖ／Ｂ      ・・・（１）
これにより、換言すれば、予め高吸収性ポリマー２６Ａが膨潤してもゲルブロッキングが起こり難く、かつ十分な吸収能力が確保される等の利点がもたらされるような、袋体容積が予め確保される。
【００４５】
この袋体２６Ｂに用いる体液透過性シートとしては、特に縁部ｅをヒートシール接合することを考慮すると、坪量１５〜２０ｇ／ｍ2程度の繊維集合体シート、より具体的には熱可塑性合成繊維を含む坪量１５〜２０ｇ／ｍ2程度の液透過性親水性不織布（公知の、スパンボンド不織布、カードウエブを接着した不織布、メルトブローン不織布、それらの混成不織布等）や、合成パルプ（三井石油化学社製のＳＷＰなど）を含む坪量１５〜２０ｇ／ｍ2程度のティッシュペーパーなどが好ましく使用できる。かかる坪量の繊維集合体シートを用いることにより、体液透過性が良好となるとともに、膨潤したポリマーが繊維間から食み出し難くなり、かつコストも低く抑えることができる。
【００４６】
高吸収性ポリマー２６Ａは、この種の使い捨て吸収性物品において用いられる、自重のたとえば１０〜２０倍以上の体液を吸収して保持するものを使用できる。この例として、でんぷん系、セルロース系や合成ポリマー系などのものがあり、でんぷん−アクリル酸（塩）グラフト共重合体、でんぷん−アクリロニトリル共重合体のケン化物、ナトリウムカルボキシメチルセルロースの架橋物やアクリル酸（塩）重合体などを挙げることができる。高吸収性ポリマーの吸収特性としては１０秒間で１０倍以上吸収し膨潤するものが望ましい。高吸収性ポリマー２６Ａは袋体２６Ｂ内面に接着（粘着）させておくこともできる。ポリマー２６Ａの形態としては図示のような粒子状のものの他、繊維状のものも用いることができる。
【００４７】
吸収部材２５を得るに際しては、袋体２６Ｂの形成とともにその内部に高吸収性ポリマー２６Ａを封入保持させた後、これを所定の幅及び長さに切断してたとえば全体的には帯状（リボン状）に形成したものとすることができる。
【００４８】
そして、かかる吸収部材２５を備えた体液吸収体２０が体液吸収性部１内に配置されることにより、排液、たとえば尿が表面シート２を通り、使用面側シート２１を通して袋体２６Ｂに接触する。この体液は、袋体２６Ｂに沿って拡散しながら体液透過性の部分を介して袋体２６Ｂ内に滲入し、対応する隔室ｒ内の高吸収性ポリマー２６Ａにより吸収される。体液を吸収した高吸収性ポリマー２６Ａは膨張する。この際、図６に示すように当該膨張するポリマー２６Ａの周囲にある区画ｄも体液と接触し、当該区画ｄが解除される。この解除はポリマー２６Ａの膨張力が主因となって若しくは補助的に作用して達成される場合もある。そしてかかる解除の結果、当該膨張するポリマー２６Ａは隔室ｒの制約を超えて自由に膨張することができ、ポリマー２６Ａ，２６Ａ相互の密着によるゲルブロッキングが効果的に防止されるのである。
【００４９】
さらに、体液を吸収する前においては、区画ｄは解離しないので、高吸収性ポリマー２６Ａはこれを超えて移動できず、自身が封入されている隔室ｒ内に拘束され、袋体２６Ｂ内の全体に偏り無く保持される。この高吸収性ポリマー２６Ａの偏在防止作用によって、ポリマー２６Ａ，２６Ａ相互の密着が低減されるため、前述の区画解除によるゲルブロッキング防止効果が更に向上する。
【００５０】
さらに、実施の形態のように、チャンネル空間２４内に吸収部材２５を設けると、体液はチャンネル空間２４内を長手方向に沿って容易に拡散でき、更にゲルブロッキングを起こしにくくなる。また、製品の装着時、チャンネル空間２４が緩衝部またはクッション部となり、肌に対する接触性が良好となる。
【００５１】
＜体液吸収性部の第２の実施の形態＞
上記第１の形態のようにチャンネル空間２４を設ける場合、チャンネル空間２４の横断面形状、その数などは適宜選択できる。一つのチャンネル空間２４内に吸収部材２５を複数並べて設けることもできる（図示せず）。
【００５２】
図７に示すように、体液吸収体２０は、必要ならば２層以上に積層することもできる。この場合、上下層の吸収部材２５の位置が半ピッチずれるように配置するのが望ましい。
【００５３】
チャンネル空間２４を形成するための使用面側シート２１は液透過性である限り、その材質に限定はなく、たとえば不織布のほか孔開きフィルムなどによってもよい。この場合、高吸収性ポリマー２６Ａを透過させない程度の空隙を有するのが望ましい。使用面側シート２１と接合する裏面側シート２２としては、不織布、防漏シート、耐湿紙、吸収紙などから選ぶことができる。
【００５４】
＜体液吸収性部の第３の実施の形態＞
本発明は、袋体２６Ｂの内部に高吸収性ポリマー２６Ａを配置し、高吸収性ポリマー２６Ａを袋体２６Ｂ内に確実に保持するものであるため、図８に示すように前述の形態における使用面側シート２１及び裏面側シート２２を省略することもできる。この場合、前述の体液吸収体２０は形成されない。
【００５５】
＜変形形態＞
他方、上記例は体液吸収性部１の存在を前提とするものであるが、本発明の吸収部材２５はこれらを適宜省略した形態に対しても適用できるものである。例えば図９に示すように、表面シート２を省略することもできる。さらに図１０に示すように、後述する図１６や図１７の形態等において、吸収部材２５の袋体２６Ｂの裏面側シートｓｔ２を防漏性シートにより形成することで、前述例における表面シート２、使用面側シート２１及び裏面側シート２２の全てを省略することもできる。これらの形態は体液を吸収する部分の薄型化を図る上では好適である。
【００５６】
＜吸収部材の固定形態＞
吸収部材２５は、物品、例えば裏面側シート２２に対して、全体的、間欠的若しくは散点的、または任意の一箇所（例えば長手方向の一方の端部のみ）または複数箇所（例えば長手方向の両端のみ）を固定することができる。特に前述例のような帯状の吸収部材２５の場合には裏面側シート２２に対しこれと対峙する面を長手方向に間欠的に接着剤２８（図３や図７参照）などにより固定するのが望ましく、広幅な吸収部材の場合には周縁部のみもしくは全面を固定したり、格子状に固定したりすることができる。
【００５７】
＜吸収部材の平面配置形態−その１＞
吸収部材２５は、図１１に示すように、製品の長手方向（前後方向）に沿うように複数列配設するのが望ましい。この形態において、図１２に示すように、ゾーンＺに排尿され、その尿が表面シート２を通して吸収部材２５に接触すると、この体液は、主に帯状袋体２６Ｂの長手方向に沿って拡散しながら体液透過性の部分を介して袋体２６Ｂ内に滲入し、対応する隔室ｒ内の高吸収性ポリマー２６Ａにより吸収される。体液を吸収した高吸収性ポリマー２６Ａは膨張する。この際、当該膨張するポリマー２６Ａの周囲にある区画ｄも体液と接触し、当該区画ｄが解除される。図１２に斜線で示す範囲が解除部分である（断面は図６参照）。この解除はポリマー２６Ａの膨張力が主因となって若しくは補助的に作用して達成される場合もある。そしてかかる解除の結果、当該膨張するポリマー２６Ａは隔室ｒの制約を超えて自由に膨張することができ、ポリマー２６Ａ，２６Ａ相互の密着によるゲルブロッキングが効果的に防止されるのである。
【００５８】
＜吸収部材の平面配置形態−その２＞
他方、図１３に示すように、チャンネル空間２４及び吸収部材２５を製品の幅方向に沿って配設することもできる。
【００５９】
＜吸収部材の平面配置形態−その３＞
図１４（吸収部材２５を製品長手方向に沿って配設した例）及び図１５（吸収部材２５を製品幅方向に沿って配設した例）に示すように、物品の長手方向一方側から延在する複数の吸収部材２５と、他方側から排泄領域ａｒまで延在する複数の吸収部材２５とを排泄領域ａｒにおいてのみラップするように配置することもできる。この場合、各吸収部材２５を排泄領域ａｒに集中的に配置できるとともに、各吸収部材２５の長さを短くすることができ、材料コストを低減することができる。
【００６０】
＜吸収部材の平面配置形態−その４＞
また、例えば袋体の幅を広くした場合等において、区画相互が平面的に交差する形態、例えば碁盤目状、ハニカム状に形成することもできる。
【００６１】
図１６に示す物品はこの一例であり、体液吸収性部１の略全体に亘る一体的な袋体からなる吸収部材２５０を設けるとともに、区画２５１を碁盤目状に形成したものである。この場合、高吸収性ポリマー２６Ａの袋体２６Ｂ内における移動は物品長手方向および幅方向の両方において制限される点では、前述の帯状袋体２６Ｂを用いた吸収部材２５と同様であるが、体液を吸収した時には、区画２５１が体液吸収部位を中心として平面的に広がるように順次解除されるようになる。解除部分はＺ’で示してある。なお、帯状袋体２６Ｂを用いた吸収部材２５においても区画ｄを碁盤目状に設けて良いことは前述のとおりである。
【００６２】
＜吸収部材における高吸収性ポリマー配置形態＞
本発明の吸収部材では、隔室ｒ，ｒ…の全てに高吸収性ポリマー２６Ａを封入する形態が好ましいが、高吸収性ポリマー２６Ａの膨潤倍率が大きい場合など必要に応じて、隔室１個若しくは複数個おきなど、適宜空室ｅｒを設けることができる。図１７に示す例は、図１６に示す例と同様の吸収部材２５０において物品長手方向および幅方向に各１個おきに空室ｅｒ，ｅｒ…を設けたものである。符号ｉｒはポリマー封入室を示している。この他にも、排泄領域の中心とする同心環状に空室および封入室を設ける形態も採ることができる（図示せず）。またもちろん、前述の幅狭吸収部材２５を複数列設置する場合においても、適宜空室を設けることができる。
【００６３】
（その他の形態）
上記の体液吸収体２０を有する実施の形態では、体液吸収体２０は、表面シート２の下に配置してある。しかし、使用面側シート２１と裏面側シート２２との間に吸収部材２５を配置した形態などにおいては、使用面側シート２１そのものが体液を透過するから、使用面側シート２１そのものを本発明で言う「表面層」とすることができ、すなわち表面シート２を省略することができる。
【００６４】
上記各例では、吸収部材２５を使用面側シート２１と裏面側シート２２とで形成されるチャンネル空間２４内に配置したものであるが、本発明においては、吸収部材２５を備える限り、チャンネル空間２４内に配置することに限定されることなく、配置位置は適宜選択できる。
【００６５】
現在市販の紙おむつでは、綿状パルプ（フラッフパルプ）を主体とし、ある程度の剛性を有する（半剛性の）長方形の吸収コアをクレープ紙で包むなどして形成した非区画吸収部材が、体液吸収性部内に備え付けられている。本発明では、この非区画吸収部材とともに本発明の区画吸収部材２５を設けることができ、この場合区画吸収部材２５は、非区画吸収部材の内外の適宜の位置、具体的には、表面シートとクレープ紙との間、クレープ紙と吸収コアとの間、吸収コアの内部、クレープ紙と防漏層との間の部位、あるいは非区画吸収部材の間や周囲などに配置することができる（図示せず）。
【００６６】
本発明においては隔室ｒ内に対して高吸収ポリマー２６Ａとともに綿状パルプ等の他の吸収性材料を封入することができる。
【００６７】
【実施例】
以下、実施例を示して本発明の効果を明らかにする。
（共通事項）
各例毎に、幅４ｃｍ、長さ６０ｃｍ、区画間隔５ｃｍの、隔室を有する袋体を３列並べて不透液性シート上に配置し、試験サンプルとした。各例において、全ての隔室内に膨潤倍率５０倍の高吸収性ポリマーを封入した。袋体の上から５０ｇ／ｃｍ2の荷重を加えた状態で、中央の袋体の長手方向中央位置（後述の図１８及び図１９に×印で示した位置）に、２００ｍｌの人工尿を２０分間隔で３回、合計６００ｍｌ注入し、人工尿の濡れ広がりを観察した。
【００６８】
（実施例１，２）
実施例１では、前述の式１で定まる高吸収性ポリマー量Ｗの８０％の量の高吸収性ポリマーを、実施例２ではＷの１１０％の量の高吸収性ポリマーをそれぞれ各隔室内に封入した。また両例ともに水分散型の解離性ホットメルト接着剤を用いて区画を形成した。
【００６９】
（比較例１〜３）
比較例１は実施例１と、及び比較例２は実施例２とそれぞれ同じ量の高吸収性ポリマーを用いたが、区画はヒートシールにより行い解除されないように構成した。また、比較例３は、区画を設けないものとし、その他は実施例と同様とした。
【００７０】
（観察結果）
実施例１および実施例２においては、図１８に示すように人工尿は袋体２６Ｂ内外を介して主に長手方向に濡れ広がり、これに伴い区画ｄ１が解除され、全体的には領域ｚ１で示すように略円状にバランス良く濡れ広がった。また人工尿吸収領域ｚ１では、袋体２６Ｂの横断面が横方向を長軸とする楕円状に膨張した。この濡れ広がり方は及び膨張形状は、区画を設けない比較例３と略同じであった。
【００７１】
比較例１及び比較例２では、図１９に示すように、人工尿吸収領域においても袋体２６Ｂ２の区画ｄ２が解除されず、横断面が略円形にまで膨張した。このためゲルブロッキングが発生し袋体２６Ｂ２内における濡れ広がりが殆どみられなかった。また、当初は袋体２６Ｂ２間の部分を通り長手方向にある程度まで拡散すると思われたが、実際には、解除されていない区画ｄ２が円形横断面部と比べて低いこともあって、領域ｚ２及び矢印で示すように、長手方向に濡れ広がるよりも先に、当該区画ｄ２部分を通じての幅方向の濡れ広がりが支配的となり、横漏れしてしまった。
【００７２】
【発明の効果】
以上のとおり、本発明の吸収部材では、体液を吸収した高吸収性ポリマーが膨張するとともに、当該膨張するポリマーの周囲にある区画部分が体液と接触することで解除されるため、当該膨張するポリマーは隔室の制約を超えて自由に膨張することができ、ポリマー相互の密着によるゲルブロッキングが効果的に防止される。
また、本発明の吸収部材では、体液と未だ接触していない区画部分は解離しないので、高吸収性ポリマーはこれを超えて移動できず、自身が封入されている隔室内に拘束されるため、高吸収性ポリマーを袋体内の全体にわたり、偏り無く均一に分布させることができ、もってゲルブロッキング防止効果を更に向上させることができる。
【００７３】
さらに本発明の吸収部材では、高吸収性ポリマーは袋体内に移動自由に封入されており、吸収部材が傾斜すればその傾斜の下側に集合する。よって、例えば本発明の吸収性物品がおむつである場合に、これを装着した者が体を横に傾けた状態で排尿をしたとしても、その尿が傾斜に沿って下る先の位置には高吸収性ポリマーが集合するため、集中的かつ効率的な吸収が可能である。よって、本発明の体液吸収性物品では前後漏れや横漏れが生じ難いという利点ももたらされる。
【図面の簡単な説明】
【図１】
使い捨て紙おむつの展開状態平面図である。
【図２】
その要部縦断面図である。
【図３】
体液吸収性部の詳細縦断面図である。
【図４】
好ましい体液吸収体の斜視図である。
【図５】
吸収部材の斜視図である。
【図６】
体液吸収状態を示す縦断面図である。
【図７】
他の体液吸収性部の詳細縦断面図である。
【図８】
別の体液吸収性部の詳細縦断面図である。
【図９】
他の体液吸収性部の詳細縦断面図である。
【図１０】
別の体液吸収性部の詳細縦断面図である。
【図１１】
吸収部材の平面配置形態を示す、使い捨て紙おむつの展開状態平面図である。
【図１２】
体液吸収状態状態を示す、使い捨て紙おむつの展開状態平面図である。
【図１３】
他の吸収部材の平面配置形態を示す、使い捨て紙おむつの展開状態平面図である。
【図１４】
別の吸収部材の平面配置形態を示す、使い捨て紙おむつの展開状態平面図である。
【図１５】
他の吸収部材の平面配置形態を示す、使い捨て紙おむつの展開状態平面図である。
【図１６】
他の吸収部材の平面配置形態およびその体液吸収状態を示す、使い捨て紙おむつの展開状態平面図である。
【図１７】
他のポリマー封入形態を示す、使い捨て紙おむつの展開状態平面図である。
【図１８】
実施例の観察結果を示す平面図である。
【図１９】
比較例の観察結果を示す平面図である。
【符号の説明】
１…体液吸収性部、２…表面シート（表面層）、３…防漏層、４…外形シート、２０…体液吸収体、２１…使用面側シート、２２…裏面側シート、２３…固定部、２４…チャンネル空間、２５…吸収部材、２６Ａ…高吸収性ポリマー、２６Ｂ…袋体、２８…接着剤、ｒ…隔室、Ｚ…排尿部。